【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
ワイヤレスに電力を受信するための装置であって、
幅よりも大きい長さを有する送信機の導電性構造によって発生する磁場を介して、ワイヤレスに電力を受信するように構成される第1の導電性構造であって、幅よりも大きい長さを有し、それぞれ第1のエリアおよび第2のエリアを囲む第1のループおよび第2のループを備え、前記第1のループが第1の下面を有し、前記第2のループが第2の下面を有し、前記第1の下面と前記第2の下面が実質的に同一平面上にあり、前記第1の導電性構造が、前記第1の導電性構造の前記長さに沿って延びる第1の形状線と各々が交差する、第1の縁部および第2の縁部を有する、第1の導電性構造と、
前記磁場を介してワイヤレスに電力を受信するように構成される第2の導電性構造であって、第3のエリアを囲み、かつ幅よりも大きい長さを有し、前記第1の形状線が第2の導電性構造の前記長さに沿って延びる、第2の導電性構造と
を備え、
前記第1の形状線が、前記送信機の導電性構造の前記長さに沿って延びる第2の形状線に実質的に直交する、装置。
【請求項２】
前記第2の導電性構造によって囲まれた前記第3のエリアの中心が、前記第1のループと前記第2のループとの間の点の上に実質的に配置されるように、前記第2の導電性構造が配置される、請求項1に記載の装置。
【請求項３】
前記第1の導電性構造が、
前記第1のエリアおよび前記第2のエリアを囲むように巻き付けられた第1のコイル、または、
各々がそれぞれ前記第1のエリアおよび前記第2のエリアを囲む、第1のコイルおよび第2のコイル
のうちの1つを備え、
前記第2の導電性構造が、前記第3のエリアを囲むように巻き付けられた第3のコイルを備える、請求項1に記載の装置。
【請求項４】
前記第1の導電性構造および前記第2の導電性構造が、前記第1の導電性構造と前記第2の導電性構造との間の相互結合の実質的な不存在を維持するように配置される、請求項1に記載の装置。
【請求項５】
前記第2の導電性構造と交差する前記第1の導電性構造の磁場の正味の合計が実質的にゼロであるとき、相互結合の前記実質的な不存在が少なくとも部分的に起こる、請求項4に記載の装置。
【請求項６】
前記第1の導電性構造および前記第2の導電性構造が、前記第1の導電性構造および前記第2の導電性構造の表面領域をカバーする第1の幾何学的な長方形によって画定された第1の中心点を一括して有し、前記送信機の導電性構造が、前記送信機の導電性構造の表面領域をカバーする第2の幾何学的な長方形によって画定された第2の中心点を有し、前記第1の中心点と前記第2の中心点との間のオフセット距離によって画定された、結合量がしきい値を上回る点のセットが実質的に長方形であり、前記結合量が、前記第1の導電性構造と前記送信機の導電性構造との間の結合を測定する第1の結合係数、および前記第2の導電性構造と前記送信機の導電性構造との間の結合を測定する第2の結合係数から導出された値によって、少なくとも部分的に画定される、請求項1に記載の装置。
【請求項７】
前記第1の導電性構造および前記第2の導電性構造が、電気車両に取り付けられるように構成され、前記第1の形状線が、前記電気車両の縦軸に実質的に直交する、請求項1に記載の装置。
【請求項８】
前記第1の導電性構造および前記第2の導電性構造が、共振周波数で同調可能であり、かつ動作可能である、請求項1に記載の装置。
【請求項９】
前記第1の導電性構造および前記第2の導電性構造に結合され、かつ前記第1の導電性構造および前記第2の導電性構造を介して受信された電力の組合せの少なくとも一部に基づいて、電気車両に電力供給または充電するように構成される、受信回路をさらに備える、請求項1に記載の装置。
【請求項１０】
前記第1の導電性構造が実質的に水平偏波された磁気モーメントを有し、前記第2の導電性構造が実質的に垂直偏波されたモーメントを有する、請求項1に記載の装置。
【請求項１１】
ワイヤレスに電力を受信するための方法であって、
第1の導電性構造で、幅よりも大きい長さを有する送信機の導電性構造によって発生する磁場を介して、ワイヤレスに電力を受信するステップであって、前記第1の導電性構造が幅よりも大きい長さを有し、前記第1の導電性構造が、それぞれ第1のエリアおよび第2のエリアを囲む第1のループおよび第2のループを備え、前記第1のループが第1の下面を有し、前記第2のループが第2の下面を有し、前記第1の下面と前記第2の下面が実質的に同一平面上にあり、前記第1の導電性構造が、前記第1の導電性構造の前記長さに沿って延びる第1の形状線と各々が交差する、第1の縁部および第2の縁部を有する、ステップと、
第2の導電性構造で、前記磁場を介してワイヤレスに電力を受信するステップであって、前記第2の導電性構造が第3のエリアを囲み、かつ幅よりも大きい長さを有し、前記第1の形状線が前記第2の導電性構造の前記長さに沿って延びる、ステップと
を含み、
前記第1の形状線が、前記送信機の導電性構造の前記長さに沿って延びる第2の形状線に実質的に直交する、方法。
【請求項１２】
前記第2の導電性構造によって囲まれた前記第3のエリアの中心が、前記第1のループと前記第2のループとの間の点の上に実質的に配置されるように、前記第2の導電性構造が配置される、請求項11に記載の方法。
【請求項１３】
前記第1の導電性構造が、
前記第1のエリアおよび前記第2のエリアを囲むように巻き付けられた第1のコイル、または
各々がそれぞれ前記第1のエリアおよび前記第2のエリアを囲む、第1のコイルおよび第2のコイル
のうちの1つを備え、
前記第2の導電性構造が、前記第3のエリアを囲むように巻き付けられた第3のコイルを備える、
請求項11に記載の方法。
【請求項１４】
前記第1の導電性構造および前記第2の導電性構造が、前記第1の導電性構造と前記第2の導電性構造との間の相互結合の実質的な不存在を維持するように配置される、請求項11に記載の方法。
【請求項１５】
前記第2の導電性構造と交差する前記第1の導電性構造の磁場の正味の合計が実質的にゼロであるとき、相互結合の前記実質的な不存在が少なくとも部分的に起こる、請求項14に記載の方法。
【請求項１６】
前記第1の導電性構造および前記第2の導電性構造が、前記第1の導電性構造および前記第2の導電性構造の表面領域をカバーする第1の幾何学的な長方形によって画定された第1の中心点を一括して有し、前記送信機の導電性構造が、前記送信機の導電性構造の表面領域をカバーする第2の幾何学的な長方形によって画定された第2の中心点を有し、前記第1の中心点と前記第2の中心点との間のオフセット距離によって画定された、結合量がしきい値を上回る点のセットが実質的に長方形であり、前記結合量が、前記第1の導電性構造と前記送信機の導電性構造との間の結合を測定する第1の結合係数、および前記第2の導電性構造と前記送信機の導電性構造との間の結合を測定する第2の結合係数から導出された値によって、少なくとも部分的に画定される、請求項11に記載の方法。
【請求項１７】
前記第1の導電性構造および前記第2の導電性構造が、電気車両に取り付けられるように構成され、前記第1の形状線が、前記電気車両の縦軸に実質的に直交する、請求項11に記載の方法。
【請求項１８】
前記第1の導電性構造および前記第2の導電性構造が、共振周波数で同調可能であり、かつ動作可能である、請求項11に記載の方法。
【請求項１９】
前記第1の導電性構造および前記第2の導電性構造を介して受信された電力の組合せの少なくとも一部に基づいて、電気車両に電力供給または充電するステップをさらに含む、請求項11に記載の方法。
【請求項２０】
前記第1の導電性構造が実質的に水平偏波された磁気モーメントを有し、前記第2の導電性構造が実質的に垂直偏波された磁気モーメントを有する、請求項11に記載の方法。
【請求項２１】
ワイヤレスに電力を受信するための装置であって、
磁場を発生させるための発生手段によって発生した前記磁場を介して、ワイヤレスに電力を受信するための第1の受信手段であって、前記発生手段が幅よりも大きい長さを有し、前記第1の受信手段が幅よりも大きい長さを有し、前記第1の受信手段が、それぞれ第1のエリアおよび第2のエリアを囲む第1のループおよび第2のループを備え、前記第1のループが第1の下面を有し、前記第2のループが第2の下面を有し、前記第1の下面と前記第2の下面が実質的に同一平面上にあり、前記第1の受信手段が、前記第1の受信手段の前記長さに沿って延びる第1の形状線と各々が交差する、第1の縁部および第2の縁部を有する、第1の受信手段と、
前記磁場を介してワイヤレスに電力を受信するための第2の受信手段であって、前記第2の受信手段が第3のエリアを囲み、かつ幅よりも大きい長さを有し、前記第1の形状線が前記第2の受信手段の前記長さに沿って延びる、第2の受信手段と
を備え、
前記第1の形状線が、前記発生手段の前記長さに沿って延びる第2の形状線に実質的に直交する、
装置。
【請求項２２】
前記第2の受信手段によって囲まれた前記第3のエリアの中心が、前記第1のループと前記第2のループとの間の点の上に実質的に配置されるように、前記第2の受信手段が配置される、請求項21に記載の装置。
【請求項２３】
前記第1の受信手段が、
前記第1のエリアおよび前記第2のエリアを囲むように巻き付けられた第1のコイル、または
各々がそれぞれ前記第1のエリアおよび前記第2のエリアを囲む、第1のコイルおよび第2のコイル
のうちの1つを備え、
前記第2の受信手段が、前記第3のエリアを囲むように巻き付けられた第3のコイルを備える、
請求項21に記載の装置。
【請求項２４】
前記第1の受信手段および前記第2の受信手段が、前記第1の受信手段と前記第2の受信手段との間の相互結合の実質的な不存在を維持するように配置される、請求項21に記載の装置。
【請求項２５】
前記第1の受信手段および前記第2の受信手段が、前記第1の受信手段および前記第2の受信手段の表面領域をカバーする第1の幾何学的な長方形によって画定された第1の中心点を一括して有し、前記発生手段が、前記発生手段の表面領域をカバーする第2の幾何学的な長方形によって画定された第2の中心点を有し、前記第1の中心点と前記第2の中心点との間のオフセット距離によって画定された、結合量がしきい値を上回る点のセットが実質的に長方形であり、前記結合量が、前記第1の受信手段と前記発生手段との間の結合を測定する第1の結合係数、および前記第2の受信手段と前記発生手段との間の結合を測定する第2の結合係数から導出された値によって、少なくとも部分的に画定される、請求項21に記載の装置。
【請求項２６】
前記第1の受信手段および前記第2の受信手段が、電気車両に取り付けられるように構成され、前記第1の形状線が、前記電気車両の縦軸に実質的に直交する、請求項21に記載の装置。
【請求項２７】
前記第1の受信手段および前記第2の受信手段が、共振周波数で同調可能であり、かつ動作可能である、請求項21に記載の装置。
【請求項２８】
前記第1の受信手段および前記第2の受信手段に結合され、かつ前記第1の受信手段および前記第2の受信手段を介して受信された電力の組合せの少なくとも一部に基づいて、電気車両に電力供給または充電するように構成される、受信回路をさらに備える、請求項21に記載の装置。
【請求項２９】
前記第1の受信手段が実質的に水平偏波された磁気モーメントを有し、前記第2の受信手
段が実質的に垂直偏波されたモーメントを有する、請求項21に記載の装置。
【請求項３０】
時変信号を出力するように構成される電源と、
前記時変信号を受信し、かつ受信機デバイスに電力をワイヤレスに伝達するための磁場を発生させるように構成される送信機の導電性構造であって、幅よりも大きい長さを有する、送信機の導電性構造と
を備え、
前記受信機デバイスが、前記磁場を介してワイヤレスに電力を受信するように構成される第1の導電性構造を備え、前記第1の導電性構造が幅よりも大きい長さを有し、前記第1の導電性構造が、それぞれ第1のエリアおよび第2のエリアを囲む第1のループおよび第2のループを備え、前記第1のループが第1の下面を有し、前記第2のループが第2の下面を有し、前記第1の下面と前記第2の下面が実質的に同一平面上にあり、前記第1の導電性構造が、前記第1の導電性構造の前記長さに沿って延びる第1の形状線と各々が交差する、第1の縁部および第2の縁部を有し、
前記受信機デバイスが、前記磁場を介してワイヤレスに電力を受信するように構成される第2の導電性構造をさらに備え、前記第2の導電性構造が第3のエリアを囲み、かつ幅よりも大きい長さを有し、前記第1の形状線が前記第2の導電性構造の前記長さに沿って延び、
前記第1の形状線が、前記送信機の導電性構造の前記長さに沿って延びる第2の形状線に実質的に直交する、
ワイヤレスに電力を伝達するためのシステム。
【請求項３１】
前記受信機デバイスの前記第1の導電性構造および前記第2の導電性構造が、前記第1の導電性構造と前記第2の導電性構造との間の相互結合の実質的な不存在を維持するように配置される、請求項30に記載のシステム。
【請求項３２】
前記第1の導電性構造および前記第2の導電性構造が、前記第1の導電性構造および前記第2の導電性構造の表面領域をカバーする第1の幾何学的な長方形によって画定された第1の中心点を一括して有し、前記送信機の導電性構造が、前記送信機の導電性構造の表面領域をカバーする第2の幾何学的な長方形によって画定された第2の中心点を有し、前記第1の中心点と前記第2の中心点との間のオフセット距離によって画定された、結合量がしきい値を上回る点のセットが実質的に長方形であり、前記結合量が、前記第1の導電性構造と前記送信機の導電性構造との間の結合を測定する第1の結合係数、および前記第2の導電性構造と前記送信機の導電性構造との間の結合を測定する第2の結合係数から導出された値によって、少なくとも部分的に画定される、請求項30に記載のシステム。